(57)【要約】【課題】水位が変化しても、カーテンキャンパス端部付近における、風による揺らぎを抑制できる。【解決手段】上部フロート部２の下縁側に、沈錘チェーン３が取り付けられたカーテンキャンパス４の上縁部が取り付けられ、カーテンキャンパス４が水中に吊り下げられる。カーテンキャンパス上縁部の、端部は、岸壁に連結されている。連結されている端部に繋がる側のカーテンキャンパス４において、キャンパス上下方向の、単数若しくは複数の中間部位にキャンパス長手方向に沿ってテンションチェーン１１，１２が設けられている。テンションチェーン１１，１２に対しては沈水状態でテンションチェーン１１，１２の重量を打ち消す浮力を発生する中間フロート手段１３，１４が設けられている。【選択図】  図１
2014070391.tif 000002
【特許請求の範囲】
【請求項１】
上部フロート部の下縁側に、重り手段が取り付けられたカーテンキャンパスの上縁部が取り付けられることにより、前記カーテンキャンパスが水中に吊り下げられる構成とされ、前記カーテンキャンパス上縁部の、端部が岸壁に連結されている分画フェンスであって、
前記連結されている端部に繋がる側の前記カーテンキャンパスにおいて、キャンパス上下方向の、単数若しくは複数の中間部位にキャンパス長手方向に沿って中間重り手段が設けられ、
前記中間重り手段に対して沈水状態で前記中間重り手段の重量を打ち消す浮力を発生する中間フロート手段が設けられていることを特徴とする分画フェンス。
【請求項２】
前記カーテンキャンパスの中間部位であって前記中間重り手段が設けられる部分には、キャンパス長手方向に沿って補強ベルトが設けられている請求項１記載の分画フェンス。
【請求項３】
前記補強ベルトには、前記中間フロート手段が、前記中間重り手段と並列に設けられている請求項２記載の分画フェンス。
【発明の詳細な説明】
【技術分野】
【０００１】
本発明は、ダム湖、人工湖等に設けられ、水域間を隔てる分画フェンスに関する。
【背景技術】
【０００２】
例えば、ダム湖等において、汚濁防止を目的として、水域間を隔てる分画フェンスを設置することが行われている。このような分画フェンスは、上部フロート部の下縁側に、重り手段が取り付けられたカーテンキャンパスの上縁部が取り付けられることにより、前記カーテンキャンパスが水中に吊り下げられる構成とされ、移動しないように前記カーテンキャンパス上縁部の、端部が岸壁に連結されている(例えば、特許文献１参照）。
【先行技術文献】
【特許文献】
【０００３】
【特許文献１】特開２００４−２６１６４２号公報
【発明の概要】
【発明が解決しようとする課題】
【０００４】
そのため、例えば、水位が低下すると、図３に示すように、分画フェンス１０１の、岸壁Ｓに連結されるカーテンキャンパス１０２端部に繋がる部分は、前記水位に応じて、空気中に露出して壁状部分１０２ａ，１０２ｃを作る部分を経て水面上に浮く部分１０２ｂ，１０２ｄとなり、不安定なフリー状態となっている。風が吹いたりすることで、それら不安定な状態にあるカーテンキャンパスの部分が揺らぐ。前記揺らぎが大きくなると、カーテンキャンパス端部に繋がる部分が暴れるように波打つこととなり、それを原因として、カーテンキャンパスが損傷あるいは破損に至る場合がある。
【０００５】
そこで、本発明は、水位が変化しても、カーテンキャンパス端部付近における、風による揺らぎを抑制できる分画フェンスを提供することを目的とする。
【課題を解決するための手段】
【０００６】
請求項１の発明は、上部フロート部の下縁側に、重り手段が取り付けられたカーテンキャンパスの上縁部が取り付けられることにより、前記カーテンキャンパスが水中に吊り下げられる構成とされ、前記カーテンキャンパス上縁部の、端部が岸壁に連結されている分画フェンスであって、前記連結されている端部に繋がる側の前記カーテンキャンパスにおいて、キャンパス上下方向の、単数若しくは複数の中間部位にキャンパス長手方向に沿って中間重り手段が設けられ、前記中間重り手段に対して沈水状態で前記中間重り手段の重量を打ち消す浮力を発生する中間フロート手段が設けられていることを特徴とする。
【０００７】
このようにすれば、カーテンキャンパス端部付近において、カーテンキャンパス上縁部に近い部分に中間重り手段が設けられているので、その中間重り手段とカーテンキャンパス上縁部との間の一部が水面上に位置するようになっても、前記中間重り手段の下向きの荷重によって、前記一部のテンションが高まり、風の風圧に対する抵抗力が大きくなる。よって、カーテンキャンパス端部付近において、風による前記揺らぎを抑制することができる。
【０００８】
一方、水位が高い場合には、中間重り手段は水面下に沈下するが、中間重り手段の重量を打ち消す浮力を発生する中間フロート手段を対応して設けているので、中間重り手段の重量が中間フロート手段の浮力によって打ち消され、中間重り手段がないのと同様な状態となる。
【０００９】
請求項２に記載のように、前記カーテンキャンパスの中間部位であって前記中間重り手段が設けられる部分には、キャンパス長手方向に沿って補強ベルトが設けられていることが望ましい。
【００１０】
このようにすれば、補強ベルトによって強度を高められた部分（カーテンキャンパス）に中間重り手段が設けられることになり、耐久性の点で有利となる。
【００１１】
請求項３に記載のように、前記補強ベルトには、前記中間フロート手段が、前記中間重り手段と並列に設けられている構成とすることができる。
【００１２】
このようにすれば、沈水状態で前記中間重り手段の重量を打ち消す浮力を発生する中間フロート手段を簡単に設けることができる。
【発明の効果】
【００１３】
本発明は、上記のように、カーテンキャンパス上縁部に近い部分に中間重り手段を設けているので、その中間重り手段とカーテンキャンパス上縁部との間の一部が水面上に位置するようになっても、前記一部のテンションが高まり、風の風圧に対する抵抗力を高めることができる。よって、水位が変化しても、カーテンキャンパス端部付近において、風による揺らぎを抑制し、カーテンキャンパスが不用意に損傷あるいは破損するのを回避することができる。
【図面の簡単な説明】
【００１４】
【図１】本発明に係る分画フェンスの一実施の形態の一部を示し、（ａ）は正面図、（ｂ）は平面図である。
【図２】岸壁への連結部分の説明図である。
【図３】従来の分画フェンスの説明図である。
【発明を実施するための形態】
【００１５】
以下、本発明の実施の形態を図面に沿って説明する。
【００１６】
図１は本発明に係る分画フェンスの一実施の形態の一部を示し、（ａ）は正面図、（ｂ）は平面図、図２は岸壁への連結部分の説明図である。
【００１７】
本発明に係る分画フェンス１は、端部に配置されるもので、図１（ａ）（ｂ）に示すように、水に浮かべて設置される上部フロート部２の下側に、下部に沈錘チェーン３（重り）が取り付けられたカーテンキャンパス４の上部が取り付けられることにより、カーテンキャンパス４が水中に吊り下げられている。この分画フェンス１は、Ｄ環付金具５などを介して隣の分画フェンス（図示せず）と連結される一方、端部のＤ環付金具５がワイヤー(図示せず)を介して岸壁(具体的には、コンクリートアンカーブロック２１)に連結され（図２参照）、水域を分画するようになっている。沈錘チェーン３は、例えば取付用ベルトを用いて取り付けられる。なお、図２において、２２はワイヤーロープ、２３はシャックルである。
【００１８】
上部フロート部２は、筒状のフロート覆布５（例えば、ＰＶＣターポリン製）と、それの内部に一定間隔で配置される複数のフロート６を有する。これらフロート６はフロート覆布５にて覆われ、フロート覆布５によって保護されている。各フロート６は、比重が小さい発泡樹脂（例えば、発泡スチロール製）で円柱体に形成され、例えば直径１００ｍｍとされる。
【００１９】
カーテンキャンパス４の上縁部及び下縁部の表裏面側には、キャンパス長手方向に沿って延びる幅広の第１の補強ベルト７Ａ，７Ｂが設けられ、左右両側縁部の表裏面側にはキャンパス上下方向に沿って延びる幅広の補強ベルト（左側縁部の補強ベルト７Ｃのみ図示）が設けられている。そして、カーテンキャンパス４の上下方向の中間部分の表裏面側にも、同様に、キャンパス長手方向に沿って延びる幅狭の第２の補強ベルト８Ａ〜８Ｅが設けられている。また、キャンパス長手方向において一定間隔でもって、キャンパス上下方向に延びる幅狭の補強ベルト８Ｆ〜８Ｈが設けられている。補強ベルト７Ａ〜７Ｃ，８Ａ〜８Ｈは、例えばポリエステル織布で形成され、幅広の補強ベルト７Ａ〜７Ｃの幅は、幅狭の補強ベルト８Ａ〜８Ｈの幅の２倍程度で、キャンパス周縁部の補強強度をキャンパス中央部分よりも高めている。
【００２０】
また、前記岸壁に連結されているキャンパス端部に繋がる部分において、キャンパス上下方向の、単数若しくは複数の中間部位にキャンパス長手方向に沿って、カーテンキャンパス４に下向きの荷重を付与するためのテンションチェーン１１，１２（中間重り手段）が設けられている。このテンションチェーン１１，１２に対し、沈水状態でテンションチェーン１１，１２の重量(下向きの荷重成分）を打ち消す浮力を発生する複数の中間フロート１３ａ，１４ａ（中間フロート手段１３，１４）が設けられている。テンションチェーン１１と中間フロート１２ａとは、ともに補強ベルト８Ａ，８Ｄが設けられている部位に取り付けられている。
【００２１】
よって、上記分画フェンスによれば、満水位の場合には、テンションチェーン１１，１２と中間フロート手段１３，１４とがともに水中に没しているので、テンションチェーン１１，１２による下向きの荷重が中間フロート手段１３，１４による上向きの浮力によって打ち消され、テンションチェーン１１，１２を設けていないのと同じ状態になる。よって、分画フェンスとしての本来の機能が損なわれることはない。
【００２２】
一方、水位が低下して、例えば夏期制限水位や最低水位になると、水面上のカーテンキャンパス４は、岸壁に連結されている側の端部が、壁状に立ち上がり状態となり、中央に向かって徐々に高さが低くなり、最終的には水面上に、フロート６とともに、カーテンキャンパス４が折り畳まれて浮いた状態となる（図３の部分１０２ａ〜１０２ｄ参照）。
【００２３】
この状態で、風が吹くと、カーテンキャンパス４の端部の壁状に立ち上がっている部分が、風圧を受けて揺らぐ。この揺らぎにより、前記部分が、中央側において浮いているフロート６やカーテンキャンパス４を持ち上げ、前記揺らぎが大きくなると、カーテンキャンパス端部に繋がる部分が暴れるように波打つこととなり、それを原因として、カーテンキャンパス４が損傷あるいは破損に至る場合がある。
【００２４】
しかしながら、カーテンキャンパス４の端部にはテンションチェーン１１，１２が設けられているので、それの重量がカーテンキャンパス４を揺らぐのを抑制する。つまり、水位が低下して、テンションチェーン１１，１２や中間フロート手段１３，１４が空気中に位置するようになると、テンションチェーン１１，１２の重量が中間フロート手段１３，１４の重量よりもかなり大きいので、テンションチェーン１１，１２がカーテンキャンパス４に対し重りとして機能し、カーテンキャンパス４を下方に引っ張るようになり、カーテンキャンパス４が揺らぐのが抑制される。
【００２５】
上下方向の中間部位の２個所に、テンションチェーン１１，１２を設けているので、空気中ではそれぞれが重りとして機能するので、テンションチェーン１１，１２の荷重を効率よく作用させて、カーテンキャンパス４の揺らぎを抑制することができる。
【００２６】
よって、揺れを抑制できるので、カーテンキャンパス端部に繋がる部分が暴れるように波打ち、それを原因として、カーテンキャンパス４が損傷あるいは破損に至るのを回避することが可能となる。
【００２７】
本発明は、前記実施の形態は、次のように変更して実施することができる。
【００２８】
(i)前記実施の形態では、テンションチェーン１１，１２（中間重り手段）に対し複数の中間フロート１３ａ，１４ａからなる中間フロート手段１３，１４を設けているが、前記中間重り手段の重量を打ち消す浮力を発生するフロート部であれば、１つにすることも可能であり、形状も、円柱体状などに特に制限されない。
【００２９】
(ii)前記実施の形態では、中間重り手段の重量を打ち消す浮力を発生する複数の中間フロート１３ａ，１４ａ（中間フロート手段）をテンションチェーン１１，１２（中間重り手段）の取付部分（補強ベルト）に対し一体に設けているが、前記取付部分にワイヤーロープなどの中間連結手段を介して前記中間フロート手段を連結することも可能である。
【００３０】
(iii)前記実施の形態では、中間重り手段をテンションチェーンとしているが、一定間隔で設けられた複数個の重りとすることも可能である。
【符号の説明】
【００３１】
１    分画フェンス
２    上部フロート部
３    沈錘チェーン
４    カーテンキャンパス
５    フロート覆布
６    フロート
７Ａ〜７Ｃ，８Ａ〜８Ｈ    補強ベルト
１１，１２    テンションチェーン（中間重り手段）
１３，１４    中間フロート手段
１３ａ，１４ａ    中間フロート
【図１】
2014070391.tif 000003
【図２】
2014070391.tif 000004
【図３】
2014070391.tif 000005